(57)【要約】【課題】安価に、小型容器でも実現可能なポンプ機構の創出を技術的課題とし、もってデラミ容器と組み合わせ、操作性に優れ、外気の容器本体内部への進入がなく衛生面で優れ、生産性が高く、安価な滴下容器を提供することを目的とする。【解決手段】外層の内面にこの外層から剥離可能な内層を積層してなり、外層部分に吸気部を形成したブロー成形容器本体と、頂部に注出口を形成した有頂円筒状であり、略中央高さ位置にスクイズ変形可能で復元自在な可撓性を有したスクイズ筒部を有し、下端部を容器本体の上端部に密に嵌合して組付き固定する注出筒体とからなり、容器本体と注出筒体とを組み立てた状態で、容器本体の上部から下流側である注出口に至る流動通路が形成され、スクイズ筒部の下方および上方にそれぞれ位置し、この流動通路を開閉する、第１逆止弁部および第２逆止弁部を配置する構成とすること、にある。【選択図】　　　　　　　　図２
2004001829.tif 000002
【特許請求の範囲】
【請求項１】
外層（２）の内面に該外層（２）から剥離可能な内層（３）を積層してなり、外層（２）部分に吸気部（１１）を形成したブロー成形容器本体（１）と、頂部に注出口（３３）を形成した有頂円筒状であり、略中央高さ位置にスクイズ変形可能で復元自在な可撓性を有したスクイズ筒部（３２）を有し、下端部を前記容器本体（１）の上端部に密に嵌合して組付き固定する注出筒体（３１）と、からなり前記容器本体（１）と注出筒体（３１）とを組み立てた状態で、容器本体（１）の上部から下流側である注出口（３３）に至る流動通路（４９）が形成され、前記スクイズ筒部（３２）の下方および上方にそれぞれ位置し、前記流動通路（４９）を開閉する、第１逆止弁部（４１）および第２逆止弁部（４５）を配置する構成とした、滴下容器。
【請求項２】
容器本体（１）の口部（５）に密外嵌する円筒状の外装筒（２２）を介して注出筒体（３１）の下端部を前記容器本体（１）の上端部に密に嵌合して組付き固定する構成とした、請求項１記載の滴下容器。
【請求項３】
外装筒（２２）に頂板（２３）を連接し、該頂板（２３）に、中央部から上下方向に延びる軸体（２４）を連接し、また該軸体（２４）の周縁部近傍に上下貫通孔（２６）を形成し、第１逆止弁部（４１）が前記軸体（２４）の下部と口部（５）の内周面との間の流動通路（４９）を開閉し、また第２逆止弁部（４５）が前記軸体（２４）の上部と注出筒体（３１）の内周面との間の流動通路（４９）を開閉する構成とした、請求項２記載の滴下容器。
【請求項４】
軸体（２４）の下部を円柱状とし、第１逆止弁部（４１）を、上端に外鍔周片（４３ａ）を周設し、口部（５）に密嵌入する円筒状の内接筒片（４３）の下端から復元自在な外側への変形を可能に、上方に縮径し内周端が前記軸体（２４）の下部に密周接するテーパー筒状の第１弁体（４２）を立設した構成とした、請求項３記載の滴下容器。
【請求項５】
第２逆止弁部（４５）を、下端部が軸体（２４）の上端部に嵌合組付き固定し、外周端が注出筒体（３１）の内周面に密周接する、復元自在な内側への変形を可能に上方に拡径したテーパー筒状の第２弁体（４６）から構成した、請求項３または４記載の滴下容器。
【請求項６】
吸気部（１１）を口部（５）の外層（２）の一部を除去して形成した、請求項１、２、３、４または５記載の滴下容器。
【請求項７】
吸気部（１１）を容器本体（１）の底部（８）のピンチオフ部（１３）の先端部分の外層（２）と内層（３）を一部剥離して形成した、請求項１、２、３、４または５記載の滴下容器。
【請求項８】
内容物を目薬とした、請求項１、２、３、４、５、６または７記載の滴下容器。
【発明の詳細な説明】
【０００１】
【発明の属する技術分野】
本発明は、滴下容器、特には容器内部へ外部の空気を進入させることなく内容物の注出が可能な目薬用容器等の小型の滴下容器に関する。
【０００２】
【従来の技術】
たとえば、目薬等の薬品を収納する容器においては、容器の胴部を指で押圧して、少量づつを注出、あるいは滴下する容器が多く用いられているが、滴下を終わって押圧状態を解除すると、胴部が弾性的にもとの形状に戻り、その結果として外部の空気が容器内部に進入し、空気中に存在する異物や雑菌が内容液に混入してしまうという問題があった。
【０００３】
このような問題を解決するための方法として、たとえば特開平４−２９７２６４号公報、特開平６−１４９７２号公報には、内容液の吐出流路内にフィルターを付設する方法、また実開昭６３−１８３０４７には容器の末端部が扁平化された形状もしくは偏平状態に折り畳み可能にして、容器の容積が内容液の減少にしたがって減少するようにし、外部の空気の進入を抑制する方法についての記述が有る。
【０００４】
さらに、外部の空気を進入させない方法として、特開平１０−１８０８５３には外層とこの外層に剥離自在に積層された内層からなり、内容物が減少した分、内層が外層から剥離しながら萎み変形し、外層と内層との間隙に外部空気を導入する積層容器、通常デラミ容器と称される容器についての記述が有る。
【０００５】
【発明が解決しようとする課題】
しかしながら、吐出流路内にフィルターを付設する方法は、フィルターの目詰まり、あるいはフィルターの部分で雑菌が繁殖する等の問題があり、実開昭６３−１８３０４７の末端部を偏平化する方法は、主としてたとえば歯磨き用チューブ等に用いられるものを応用しようとするものであり、使用上の利便性、外観上の問題があった。
【０００６】
また、特開平１０−１８０８５３の容器はたとえばシャンプー等を収納して口部にディスペンサーポンプを付けて使用するものであるが、目薬等の滴下容器への内容液を注出するためのポンプ機構の採用は、大きさの点からまた、費用の点から実際上は困難であった。
【０００７】
本発明は上記した従来の技術の問題点を解消すべく創案されたものであり、特には安価に、小型容器でも実現可能なポンプ機構の創出を技術的課題とし、もってデラミ容器と組み合わせ、操作性に優れ、外気の容器本体内部への進入がなく衛生面で優れ、生産性が高く、安価な滴下容器を提供することを目的とする。
【０００８】
【課題を解決するための手段】
上記技術的課題を解決するための本発明のうち、請求項１記載の手段は、
外層の内面にこの外層から剥離可能な内層を積層してなり、外層部分に吸気部を形成したブロー成形容器本体と、
頂部に注出口を形成した有頂円筒状であり、略中央高さ位置にスクイズ変形可能で復元自在な可撓性を有したスクイズ筒部を有し、下端部を容器本体の上端部に密に嵌合して組付き固定する注出筒体と、からなり
容器本体と注出筒体とを組み立てた状態で、容器本体の上部から下流側である注出口に至る流動通路が形成され、
スクイズ筒部の下方および上方にそれぞれ位置し、この流動通路を開閉する、第１逆止弁部および第２逆止弁部を配置する構成とした、滴下容器。
【０００９】
請求項１記載の上記構成の滴下容器は、容器本体の上部に有頂円筒状の注出筒体が密に嵌合した状態となり、容器本体の内部から下流側である注出口に至る内容物の流動通路が形成さる。
【００１０】
また、注出筒体の略中央高さ位置には、変形可能で復元自在な可撓性を有したスクイズ筒部があり、その下方および上方部分に、それぞれ、下流側から上流側への逆流を阻止する機能を有した第１逆止弁部および第２逆止弁部を配置した構成であり、このスクイズ筒部と第１逆止弁部および第２逆止弁部により、容器本体内の内容物を注出口に向かって流動させる小型で、軽量で、成形および組み立てが容易で安価なポンプを構成することができる。
【００１１】
すなわち、スクイズ筒部を指先で押圧してスクイズ変形させると、第１逆止弁は閉じ、第２逆止弁が開き、予め流動通路の両逆止弁間の部分にあった内容物の一部が注出口から外部に注出され、押圧を止め、押圧を解除すると内容物の注出が止まり、スクイズ筒部が弾性的な回復力により元の形に復元する。
【００１２】
スクイズ筒の弾性的な回復力による元の形への復元の際には、第２逆止弁が閉じ、第１逆止弁が開き、容器本体内の内容物が、流動通路の両逆止弁間の部分に吸い上げられる。
【００１３】
また、この際第２逆止弁の機能により下流側への内容物の逆流および外部の空気の進入を防ぐことができ、外部空気に存在する雑菌あるいはゴミ等の異物の内容物への混入を防止することができる。
【００１４】
また、容器本体内の内容物が、流動通路の両逆止弁間の部分に吸い上げられるに従い、容器本体の内層は外層から剥離しながら減容変形するが、外層部分に形成した吸気部から外層と内層の間隙に外部の空気が進入するので、外層を変形させることなく元の形のままで、保持することができ、内層内には空気が進入することがないので、容器本体に内容物が略無くなるまでポンプの機能が充分発揮され良好な注出操作性を保持することができる。
【００１５】
ここで、注出筒体はたとえばポリエチレン、ポリプロピレン等の合成樹脂で形成されるものであり、この注出筒体の一部を弾性的に回復可能に陥没変形ができるように形状および肉厚を設定することにより、容易に小型のものを安価に製造することが可能である。
【００１６】
請求項２記載の発明の手段は、請求項１の発明において、容器本体の口部に密外嵌する円筒状の外装筒を介して注出筒体の下端部を容器本体の上端部に密に嵌合して組付き固定する構成とすること、にある。
【００１７】
請求項２記載の上記構成により、外装筒を介して容器本体の上部に注出筒体を密に嵌合することにより、容器本体の口部および注出筒体の形状を簡略化できると共に、嵌合部分の密封性を確実に保持することができる。
【００１８】
請求項３記載の発明の手段は、請求項２記載の発明において、外装筒に頂板を連接し、この頂板に、中央部から上下方向に延びる軸体を連接し、また軸体の周縁部近傍に上下貫通孔を形成し、第１逆止弁部が軸体の下部と口部の内周面との間の流動通路を開閉し、また第２逆止弁部が軸体の上部と注出筒体の内周面との間の流動通路を開閉する構成とすること、にある。
【００１９】
請求項３記載の上記構成により、流動通路の中心部分に上下方向に延びる軸体が位置し、容器本体の上部から上下貫通孔を介して下流側である注出口に至る流動通路が形成されるが、この軸体を利用して、軸体を弁体の基端部とする、あるいは先端が該軸体に密周接する第１逆止弁部および第２逆止弁部を配置することにより、各逆止弁部を適正な位置に容易にセットでき、その機能を確実に発揮させることが可能となる。
【００２０】
請求項４記載の発明の手段は、請求項３記載の発明において、軸体の下部を円柱状とし、第１逆止弁部を、上端に外鍔周片を周設し、口部に密嵌入する円筒状の内接筒片の下端から復元自在な外側への変形を可能に上方に縮径し、内周端が前記軸体の下部に密周接するテーパー筒状の第１弁体を立設した構成とすること、にある。
【００２１】
上記請求項４記載の構成は、内接筒片が口部に密嵌入して、第１逆止弁部を容器本体に組付き固定するものであり、この組付き状態でテーパー筒状の第１弁体の内周端が円柱状の軸体の下部に密周接し、口部から容器本体内部への逆流を阻止する逆止弁としての機能を発揮する。
【００２２】
また、内接筒片を、その外鍔周片の下面を容器本体の口部の上端面に当接させた状態で口部に嵌入することにより、小型の容器においても容易に第１逆止弁を適正な位置にセットでき、逆止弁としての機能を充分発揮させることができる。
【００２３】
請求項５記載の発明の手段は、請求項３または４記載の発明において、第２逆止弁部を、下端部が軸体の上端部に嵌合組付き固定し、外周端が注出筒体の内周面に密周接する、復元可能な内側への変形を可能に上方に拡径したテーパー筒状の第２弁体から構成すること、にある。
【００２４】
請求項５記載の上記構成は、テーパー筒状の第２弁体を軸体の上端部に嵌合して組付け固定し、その外周端を円筒状の注出筒体に密周接させるものであり、小型の容器においても容易に第２逆止弁部を適正な位置にセットでき、逆止弁としての機能を充分発揮させることができる。
【００２５】
請求項６記載の発明の手段は、請求項１、２、３、４または５の発明において、吸気部を口部の外層の一部を除去して形成することにある。
【００２６】
請求項６記載の上記構成により、吸気部が口部に形成されるので、外観を損なうことなく吸気部の機能を発揮させることができ、また容器の強度を損なうこともない。
【００２７】
請求項７記載の発明の手段は、請求項１、２、３、４または５の発明において、吸気部を容器本体の底部のピンチオフ部の先端部分の外層と内層の一部を剥離して形成すること、にある。
【００２８】
ブロー成形された容器本体の底部のピンチオフ部は、外層と内層とから形成される２層積層円筒状のパリソンを割り金型で挟むようにして喰い切り、形成されたものであり、その先端は内層を両側から外層でサンドイッチした状態であり、この外層と内層は外力を加えることにより容易に剥離が可能であるので、後加工で外層を除去する工程もなく容易に吸気部を形成することができる。
【００２９】
請求項８記載の発明の手段は、請求項１、２、３、４、５、６または７記載の発明において、内容物を目薬とすること、にある。
【００３０】
外部の空気の雑菌あるいはごみ等の異物の容器本体内への進入を防ぐことができるので、衛生性、安全性に優れた目薬用の滴下容器を提供することができる。
【００３１】
【発明の実施の形態】
以下、本発明の実施の形態を図面を参照しながら説明する。
図１〜５は本発明の滴下容器の一実施例を示すものであり、容器本体１、外装筒２２に頂板２３および軸体２４を連接した中栓体２１、注出筒体３１、第１逆止弁部４１および第２逆止弁部４５の５つの部材から構成されており、各部材はそれぞれ合成樹脂から形成される。
【００３２】
容器本体１は外層２と内層３とから形成される２層積層円筒状のパリソンを割り金型内でブロー成形して得られたものであり、外殻を形成する外層２と、この外層２に剥離可能に積層した内層３から形成された積層容器であり、胴部７の上に肩部６を介して短円筒状の口部５が形成されている。たとえば外層をポリプロピレン樹脂、内層をこのポリプロピレン樹脂に対する相溶性が低いナイロン樹脂とすることにより、外層と内層の剥離性を達成することができる。
【００３３】
この容器本体１の口部５には、中心軸に対して軸対称の位置に、外層３を円盤状に取り除いて一対の吸気孔１２が形成され吸気部１１の作用効果を果たし、上部の外周面には後述する外装筒２２の内表面に付設された縦突条２２ｃが嵌合する複数本の縦溝５ｃが刻設され、また下端部には外装筒２２の係止溝条２２ａに係止する係止突条５ａが周設されている。
【００３４】
中栓体２１は、容器本体１の口部５に外嵌して組付き固定する有頂円筒状の外装筒２２を有し、この外装筒２２の頂板２３には、その中央部から上下方向に円柱状の軸体２４が連設され、軸体２４の周縁に８ケの上下貫通孔２６が形成され（図２、３参照）、また周縁部近傍には、上部外周面に係止片２７ａを周設した嵌入筒片２７が立設されおり、軸体２４の上端部には後述する第２逆止弁部４５を組付き固定させるための段部２４ｂを形成し係止突片２４ａを周設している。
【００３５】
外装筒２２の内周面の、下端部には係止溝条２２ａが刻設、上端部には係止周片２２ｂが周設され、外表面には螺条２２ｄが設けられており、また下端からテーパー状に下方へ拡径した部分を介してカバー筒片２８が垂下設されている。
【００３６】
注出筒体３１は円筒状であり、先端には、上方に縮径するテーパー部３５を介して、頂部に注出口３３を形成した細短円筒状の先端筒３６が立設されており、下端部には外鍔片を介して下端内周面に係止端片３４ａを有する外嵌筒片３４が垂下設されている。
【００３７】
この外嵌筒片３４が、係止端片３４ａを係止片２７ａに係止し、外嵌筒片３４の下端面が中栓体２１の頂板２３の上面周縁に当接した状態で、嵌入筒片２７に密外嵌し、注出筒体３１が中栓体２１に組付き固定される。
【００３８】
また、外嵌筒片３４の上端から、テーパー部３５の下端に至るスクイズ筒部３２は、押圧によるスクイズ変形可能で復元自在な可撓性有した構成としている。
【００３９】
注出筒体３１をたとえばポリエチレン、ポリプロピレン、ナイロン等の合成樹脂で形成し、肉厚を適正に設定することによりこのスクイズ性を達成することができ、また外嵌筒片３４より下方へ、またテーパー部３５から先端筒３６の肉厚を大きくして上方へ、スクイズ筒部３２の押圧による変形が及ばないような構成としている。
【００４０】
第１逆止弁体４１は、円筒状の内接筒片４３の上端に外鍔周片４３ａを周設し、下端から、復元自在な外側への変形を可能に上方に縮径したテーパー筒状の第１弁体４２を立設したものであり、外鍔片４３ａの下端面が口部５の上端面に当接し、内接筒片４３が口部５に密嵌入した状態で、容器本体１に密に組付き固定される。
【００４１】
第２逆止弁体４５は、内周面に係止溝４７ａを周設した、有頂円筒状の嵌合筒片４７の上端に、復元自在な内側への変形を可能に上方に拡径したテーパー筒状の第２弁体４６を立設したものであり、嵌合筒片４７を外嵌し、係止突片２４ａを係止溝４７ａに係止した状態で軸体２４の上端部に組み付き固定する。
【００４２】
ここで、第１逆止弁部４１および第２逆止弁部４５は逆止弁としての機能を発揮するため、軟質合成樹脂あるいはゴム状の材料から形成する、またこの軟質性により第１逆止弁部においては口部５とのシール性も充分確保される。
【００４３】
次に、上述した容器本体１、中栓体２１、注出筒体３１、第１逆止弁部４１および第２逆止弁部４５を組み立てた状態の詳細および容器の使用状態の一形態を説明する。
【００４４】
第１逆止弁部４１は口部５に内接筒片４３を嵌入し、外鍔周片４３ａを口部５の上端面に当接した状態で容器本体１に組付き固定し、中栓体２１はその上方から外装筒２２を口部５に外嵌する。
【００４５】
この際、縦突条２２ｃと縦溝５ｃ、および係止溝条２２ａと係止突条５ａの係止作用により中栓体２１が容器本体１の口部５に回動および抜け外れ不能に組付き固定され、外鍔周片４３ａは口部５の上端面と頂板２３により挟持された状態となり第１逆止弁部４１の位置が正確に設定され、第１逆止弁部４１が軟質性の材料で形成されているため、容器の密封性が確実に達成されると共に、第１弁体４２の外周端が確実に円柱状の軸体２４の下部に密周接し逆止弁としての作用効果が確実に発揮される。
【００４６】
第２逆止弁部は下部の嵌合筒片４７を軸体２４の上端部に嵌合させて、軸体２４の上端部に組付き固定した状態で、正確に位置決めがされており、第２弁体４６の外周端が先端筒３６に密周接して、逆止弁としての作用効果が確実に発揮される。
【００４７】
上記のように、各部材を組み立て状態では、容器本体１の上部に有頂円筒状の外装筒２２が密に外嵌し、この外装筒２２の上端部に注出筒体３１が密に嵌合した状態となり、中央部には頂板２３に支持された軸体２４が位置しており、容器本体１の上部から上下貫通孔２６を介して下流側である注出口３３に至る内容物の流動通路４９が形成される。
【００４８】
また、注出筒体３１の略中央高さ位置には、スクイズ筒部３２があり、その下方および上方にそれぞれ下流側から上流側への逆流を阻止する機能を有した第１逆止弁部４１および第２逆止弁部４５を配置した構成であり、このスクイズ筒３２と第１逆止弁部４１および第２逆止弁部４５により、容器本体内１の内容物を注出口３３に向かって流動させるポンプとしての作用効果が発揮される。
【００４９】
すなわち、スクイズ筒部３２を指先で押圧してスクイズ変形させると（図４参照）、第１弁体４２は閉じ、第２弁体４６が開き、予め流動通路４９の両弁体間の部分にあった内容物の一部が注出口３３から外部に注出され、押圧を止め、押圧を解除すると内容物の注出が止まり、スクイズ筒３２が弾性的な回復力により元の形に復元する。
【００５０】
ここで、指先の押圧でスクイズ変形させる際、注出筒体３１の中央部に軸体２４の上部および第２逆止弁部４５の嵌合筒片４７が位置しているので、この変形により注出筒体３１全体が傾いたりすることなく一定の姿勢に保持することができる。
【００５１】
スクイズ筒部３２の元の形への復元の際には、第２弁体４６が閉じ、第１弁体４２が開き、容器本体内１の内容物が、流動通路４９の両弁体間の部分に吸い上げられる。
【００５２】
また、この際第２逆止弁部４１の機能により下流側への内容物の逆流および外部の空気の進入を防ぐことができ、外部の空気に存在する雑菌あるいはゴミ等の異物の容器内の内容物への混入を防止することができる。
【００５３】
また、容器本体内１の内容物が、流動通路４９の両弁体間の部分に吸い上げられるに従い、容器本体１の内層３は外層２から剥離しながら減容変形するが（図２参照）、外層２部分に形成した吸気孔１２から外層２と内層３の間隙４に外部の空気が進入するので、外層２を変形させることなく元の形のままで、保持することができ、内層３内には空気が進入することがないので、容器本体１の内容物が略無くなるまでポンプの機能が充分発揮され良好な注出操作性を確保することができる。
【００５４】
なお通常、本一実施例の滴下容器は使用しない際には、図１にあるように、オーバーキャップ５１を外装体２２に螺合組付け等して保管する。
【００５５】
前述した、本発明の一実施例では、吸気部１１を口部５に形成した例を示したが、吸気部１１の形成は口部５に限定されるものでなく、図６は、吸気部１１の他の例を示したものである。
【００５６】
ブロー成形された容器本体１の底部８のピンチオフ部１３は外層２と内層３とから形成される２層積層円筒状のパリソンを割り金型で挟むようにして喰い切り、形成されたものであり（図６（ａ）参照）、その先端は内層３を両側から外層２でサンドイッチした状態であり、この外層２と内層３に外力を加えることにより剥離させ、吸気部１１とすることができる（図６（ｂ）参照）。
【００５７】
後加工で外層３を除去する工程もなく容易に吸気部１１を形成することができ、また特に小型容器においては底部８のピンチオフ部１３にかかる力も比較的小さいので破損の恐れもなく有効な方法である。
【００５８】
また上述した本発明の一実施例では、軸体２４を利用して、第１逆止弁部４１および第２逆止弁部４５を付設しているが、両逆止弁部の構成はこの一実施例に限定されるものではなく、スクイズ筒部３２と共にポンプの機能を果たすものであれば良く、図７には両逆止弁部の他の例を示した。
【００５９】
第１逆止弁部４１は、外装筒２２の嵌入筒片２７に組み付き固定され、頂板２３の中央部に形成された開口部２６ａを開閉するものであり、第２逆止弁部４５は注出筒体３１の先端筒３６の内部に密に組み付き固定さる、有頂円筒状のものであり、先端部には弁体の機能を果たすクロス状のスリット弁４８が形成されている。
【００６０】
【発明の効果】
本発明は、上記した構成となっているので、以下に示す効果を奏する。
請求項１記載の発明にあっては、スクイズ筒と２ケの逆止弁により小型、軽量で成形および組み立てが容易なポンプ機能を構成することができ、外層と内層が剥離可能な容器本体と組み合わせることにより、押圧による注出操作性を損なうことなく、外部の空気の容器本体内への進入がない、衛生的に優れた特に小型の滴下容器を提供できるようになった。
【００６１】
請求項２記載の発明にあっては、外装筒を介して容器本体の上部に注出筒体を密に嵌合することにより、容器本体の口部および注出筒体の形状を簡略化できると共に、嵌合部分の密封性を確実に保持することができる。
【００６２】
請求項３記載の発明にあっては、軸体を利用して第１逆止弁部および第２逆止弁部を配置することにより、各逆止弁部を適正な位置に容易にセットでき、その機能を確実に発揮させることができる。
【００６３】
請求項４記載の発明にあっては、第１逆止弁部を容器本体の口部に組付き固定する構成とし、小型の容器においても弁体を適正な位置に容易にセットでき、逆止弁としての機能を充分発揮させることができる。
【００６４】
請求項５記載の発明にあっては、テーパー筒状の第２弁体を軸体の上端部に嵌合して組付け固定し、その外周端を円筒状の注出筒体に密周接させるものであり、小型の容器においても弁体を適正な位置に容易にセットでき、逆止弁としての機能を充分発揮させることができる。
【００６５】
請求項６記載の発明にあっては、吸気部が口部に形成されるので、外観を損なうことなく吸気部の機能を発揮させることができ、また容器の強度を損なうこともない。
【００６６】
請求項７記載の発明にあっては、ピンチオフ部の外層と内層は容易に剥離が可能であるので、後加工で外層を除去する工程もなく容易に吸気部を形成することができる。
【００６７】
請求項８記載の発明にあっては、外部の空気の雑菌あるいはごみ等の異物の容器本体内への進入を防ぐことができるので、衛生性、安全性に優れた目薬用の滴下容器を提供することができる。
【図面の簡単な説明】
【図１】本発明の滴下容器の一実施例にオーバーキャップを被せた状態を示す、半縦断正面図。
【図２】図１の縦断面図で示した部分を要部拡大して示す、縦断正面図。
【図３】本発明の滴下容器の一実施例の中栓体の平面図。
【図４】本発明の滴下容器の一実施例の使用状態を示した、部分斜視図。
【図５】本発明の滴下容器の一実施例の容器本体の底部近傍の縦断面図。
【図６】図５のピンチオフ部を拡大して、吸気部の他の例を示した、説明図。
【図７】図２において、第１逆止弁部および第２逆止弁部の他の例を示した縦断正面図。
【符号の説明】
１　；　容器本体
２　；　外層
３　；　内層
４　；　間隙
５　；　口部
５ａ　；　係止突条
５ｂ　；　係止段部
５ｃ　；　縦溝
６　；　肩部
７　；　胴部
８　；　底部
１１　；　吸気部
１２　；　吸気孔
１３　；　ピンチオフ部
２１　；　中栓体
２２　；　外装筒
２２ａ　；　係止溝条
２２ｂ　；　係止周片
２２ｃ　；　縦突条
２２ｄ　；　螺条
２３　；　頂板
２４　；　軸体
２４ａ　；　係止突片
２４ｂ　；　段部
２６　；　上下貫通孔
２６ａ　；開口部
２７　；　嵌入筒片
２７ａ　；　係止片
２８　；　カバー筒片
３１　；　注出筒体
３２　；　スクイズ筒部
３３　；　注出口
３４　；　外嵌筒片
３４ａ　；　係止端片
３５　；　テーパー部
３６　；　先端筒
４１　；　第１逆止弁部
４２　；　第１弁体
４３　；　内接筒片
４３ａ　；　外鍔周片
４４　；　フランジ周片
４５　；　第２逆止弁部
４６　；　第２弁体
４７　；　嵌合筒片
４７ａ　；　係止溝
４８　；　スリット弁
４９　；　流動通路
５１　；　オーバーキャップ
【図１】
2004001829.tif 000003
【図２】
2004001829.tif 000004
【図３】
2004001829.tif 000005
【図４】
2004001829.tif 000006
【図５】
2004001829.tif 000007
【図６】
2004001829.tif 000008
【図７】
2004001829.tif 000009